(57)【要約】      （修正有）【課題】操作器の操作に連動して監視カメラの映像を監視用端末に表示でき、操作器の使い勝手の向上を図ることが可能な監視システムを提供する。【解決手段】所定の監視エリアを撮影し、撮影した監視映像を出力する監視カメラ３０−１〜３０−ｎと、監視カメラから取得した監視映像を表示部に表示する監視用端末と、監視用端末からのコマンド情報を基に監視カメラの動作制御を行うＷｅｂサーバと、少なくとも監視用端末の表示または監視カメラの動作のどちらかを指示するための操作ボタンと操作ボタンの操作内容に応じたボタン操作情報を送出するボタン操作情報送出手段とを備えた操作器を有する。操作器のボタン操作情報送出手段は、ボタン操作情報をＷｅｂサーバへ送信し、Ｗｅｂサーバは、受信したボタン操作情報を記憶する。監視用端末は、Ｗｅｂサーバが記憶したボタン操作情報を取得し、ボタン操作情報に基づいて監視カメラを制御する。【選択図】図１
2017183806.tif 000002
【特許請求の範囲】
【請求項１】
所定の監視エリアを撮影し、撮影した監視映像を出力する監視カメラと、前記監視カメラから取得した監視映像を表示部に表示する監視用端末と、前記監視用端末からのコマンド情報を基に前記監視カメラの動作制御を行うＷｅｂサーバと、少なくとも前記監視用端末の表示または前記監視カメラの動作のどちらかを指示するための操作ボタンと前記操作ボタンの操作内容に応じたボタン操作情報を送出するボタン操作情報送出手段とを備えた操作器を有し、
前記操作器のボタン操作情報送出手段は、ボタン操作情報を前記Ｗｅｂサーバへ送信し、
前記Ｗｅｂサーバは、受信した前記ボタン操作情報を記憶し、
前記監視用端末は、前記Ｗｅｂサーバが記憶したボタン操作情報を取得し、前記ボタン操作情報に基づいて前記監視カメラを制御する
ことを特徴とする監視システム。
【請求項２】
請求項１に記載の監視システムにおいて、
前記監視用端末は、前記Ｗｅｂサーバへボタン操作情報の取得要求を一定周期で送信し、
前記Ｗｅｂサーバは、前記監視用端末から前記ボタン操作情報の取得要求を受信すると、記憶しているボタン操作情報を前記監視用端末へ送信する
ことを特徴とする監視システム。
【請求項３】
請求項１に記載の監視システムにおいて、
前記Ｗｅｂサーバは、前記操作器からボタン操作情報を受信すると、ボタン操作情報を受信したという通知を前記監視用端末へ送信し、
前記監視用端末は、前記通知を受信すると前記Ｗｅｂサーバへボタン操作情報の取得要求を送信する
ことを特徴とする監視システム。
【発明の詳細な説明】
【技術分野】
【０００１】
本発明は、マウスやキーボード等の操作部を備え、操作部から監視カメラの動作制御や表示部に表示する映像の表示制御を行う監視用端末と、監視用端末とは別に、簡易的に監視カメラの動作制御やモニタに表示する映像の表示制御を行う操作器とを有する監視システムに係り、特に、操作器の使い勝手の向上を図ることが可能な監視システムに関する。
【背景技術】
【０００２】
近年、監視業界においては、統合型の監視システムが採用されている。監視カメラ単体の映像を監視用端末に表示して確認するだけでなく、監視カメラの映像を一旦記録装置に記録した後、記録映像を再生して確認したり、センサーからの検知情報を基に監視カメラを旋回させたりする機能を統合して扱っている。
そのような状況の中で、監視用端末で監視画面上にマウスカーソルを合わせてカメラ操作を行うことに対して、監視カメラの動作制御やモニタに表示する映像の表示制御を簡易的に行うことができる操作器を好むユーザがいるため、操作器と監視画面のあるシステムを近くに置いて運用する場合がある。
【０００３】
例えば、特許文献１には、いずれのポートから障害が発生しても、他の処理に影響を及ぼさず、再起動することなくシステム運用を継続させることが可能な映像監視システムの制御装置（マルチシステムコントローラ）が開示されている。また、特許文献１の映像監視システムは、制御装置４や監視カメラ５等を操作する操作装置６（操作器）を有する構成となっている。
【先行技術文献】
【特許文献】
【０００４】
【特許文献１】特開２０１３−９８６３３号公報
【発明の概要】
【発明が解決しようとする課題】
【０００５】
以下、従来の操作器を有する監視システムについて、図５を参照して説明する。図５は、従来の操作器を有する監視システムの構成の一例を示すブロック図である。
図５において、３０−１，３０−２，・・・，３０−ｎ（ｎは自然数）は監視エリア毎に配置された監視カメラ、１１０はＷｅｂサーバ、１２０は監視用端末、１４０は操作器、１６０はモニタ、５０はＬＡＮ（Local  Area  Network）等のネットワーク網であり、監視カメラ３０−１，３０−２，・・・，３０−ｎ、Ｗｅｂサーバ１１０、監視用端末１２０、操作器１４０およびモニタ１６０はネットワーク網５０を介して互いに接続されている。なお、監視カメラ３０−１，３０−２，・・・，３０−ｎを総称する場合、監視カメラ３０という。
【０００６】
監視カメラ３０は、パン、チルトおよびズーム機能を有し、Ｗｅｂサーバ１１０の制御によって、監視視野範囲を切り替え可能である。また、監視カメラ３０は、例えば、取得した画像をＭＰＥＧ−２等の形式等で圧縮符号化し、ネットワーク網５０を介して送信するＷｅｂカメラである。また、監視カメラ３０は、例えば、取得した画像をＭＰＥＧ−２等の形式で圧縮符号化してネットワーク網５０を介して送信するＷｅｂエンコーダを備えている。
【０００７】
監視用端末１２０は、コマンド送出手段１２１ａを備えた制御部１２１を有している。監視用端末１２０は、制御部１２１のコマンド送出手段１２１ａでＷｅｂサーバ１１０を経由して監視カメラ３０の動作制御を行ったり、監視カメラ３０から送信されたリアルタイムの映像をネットワーク網５０を介して表示したりする。
監視用端末１２０の操作画面は、Ｗｅｂサーバ１１０からカメラ制御用ボタンアイコンやカメラ映像を表示する画面ファイルを読み込むことで表示される。
【０００８】
図２は、監視用端末の操作画面の一例を示した図である。操作画面５００において、エリアリスト欄５０１の中から所望の監視エリアを選択し、カメラリスト欄５０２から所望の監視カメラ３０を選択すると、カメラ映像表示部５０３にカメラ映像が表示される。また、監視カメラ３０のパン角、チルト角またはズーム倍率を変更する場合は、カメラ制御ボタン５０４を押すことにより、Ｗｅｂサーバ１１０を経由して監視カメラ３０の動作制御が為される。
【０００９】
操作器１４０は、図５に示すように、カメラ制御ボタン１４１ａを備えた操作部１４１と、ボタン操作情報送出手段１４２ａを備えた制御部１４２とを有し、デコーダを備えたモニタ１６０の表示を確認しながら、監視者がカメラ制御ボタン１４１ａで複数の監視カメラ３０を選択したり、監視カメラ３０の向きを変えたり、ワイパ制御やズーム制御をしたりする。
【００１０】
ここで、従来の監視システムにおいて、監視用端末１２０で監視カメラ３０の動作を制御する場合の流れについて、図６を参照して説明する。図６は、従来の監視システムにおいて、監視用端末で監視カメラの動作を制御する場合のシーケンス図である。
【００１１】
監視用端末１２０では、例えば、操作画面５００で、カメラリスト欄５０２の中の監視カメラ３０−１を選択し、カメラ制御ボタン５０４の右旋回ボタンを押すことによって、制御部１２１のコマンド送出手段１２１ａがＷｅｂサーバ１１０に対してコマンドを送出し、Ｗｅｂサーバ１１０の制御部１１０のコマンド制御部１１１に監視カメラ３０−１の右旋回ボタン押下情報を渡す（ステップＳ５０１）。
Ｗｅｂサーバ１１０のコマンド制御部１１１は、監視カメラ３０−１に対して右旋回制御信号を送信する（ステップＳ５０２）。そして、監視カメラ３０−１は、右旋回する（ステップＳ５０３）。
その後、監視カメラ３０−１は、Ｗｅｂサーバ１１０のコマンド制御部１１１に対して、右旋回制御応答をする（ステップＳ５０４）。
最後に、Ｗｅｂサーバ１１０のコマンド制御部１１１は、監視用端末１２０に対して、監視カメラ３０−１の右旋回ボタン押下応答をする（ステップＳ５０５）。
【００１２】
次に、従来の監視システムにおいて、操作器１４０の操作によりモニタ１６０に監視カメラ映像を表示する場合の流れについて、図７を参照して説明する。図７は、従来の監視システムにおいて、操作器の操作によりモニタに監視カメラ映像を表示する場合のシーケンス図である。
【００１３】
操作器１４０において、例えば、操作部１４１のカメラ制御ボタン１４１ａの中から、監視カメラ３０−１ボタンを押下する（ステップＳ６０１）。
操作器１４０では、制御部１４２のボタン操作情報送出手段１４２ａが監視カメラ３０−１のボタン押下情報を基にＷｅｂサーバ１１０のコマンド制御部１１１にデコーダ制御指示を送出する（ステップＳ６０２）。
Ｗｅｂサーバ１１０のコマンド制御部１１１は、モニタ１６０に監視カメラ３０−１の映像を表示するデコーダ制御をする（ステップＳ６０３）。
モニタ１６０は、監視カメラ３０−１に対して、映像取得要求を行う（ステップＳ６０４）。
監視カメラ３０−１は、モニタ１６０に対して、映像取得応答をする（ステップＳ６０５）。
そして、モニタ１６０は、監視カメラ３０−１の映像を表示する（ステップＳ６０６）。
モニタ１６０は、Ｗｅｂサーバ１１０のコマンド制御部１１１にデコーダ制御応答をする（ステップＳ６０７）。
Ｗｅｂサーバ１１０のコマンド制御部１１１は、操作器１４０の制御部１４２にデコーダ制御指示応答をする（ステップＳ６０８）。
最後に、操作器１４０の制御部１４２は、操作部１４１に監視カメラ３０−１のボタン押下応答をする（ステップＳ６０９）。
【００１４】
次に、従来の監視システムにおいて、操作器１４０の操作により監視カメラ３０の動作を制御する場合の流れについて、図８を参照して説明する。図８は、従来の監視システムにおいて、操作器の操作により監視カメラの動作を制御する場合のシーケンス図である。
操作器１４０において、例えば、操作部１４１のカメラ制御ボタン１４１ａの中から、監視カメラ３０−１の右旋回ボタンを押下する（ステップＳ７０１）。
操作器１４０では、制御部１４２のボタン操作情報送出手段１４２ａが監視カメラ３０−１の右旋回情報を基にＷｅｂサーバ１１０のコマンド制御部１１１に監視カメラ３０−１の右旋回制御指示を送出する（ステップＳ７０２）。
Ｗｅｂサーバ１１０のコマンド制御部１１１は、監視カメラ３０−１に右旋回制御信号を送信する（ステップＳ７０３）。
監視カメラ３０−１は、右旋回制御信号を基に右旋回をする（ステップＳ７０４）。
監視カメラ３０−１は、Ｗｅｂサーバ１１０のコマンド制御部１１１に監視カメラ３０−１の右旋回制御応答をする（ステップＳ７０５）。
そして、Ｗｅｂサーバ１１０のコマンド制御部１１１は、操作器１４０の制御部１４２に監視カメラ３０−１の右旋回制御指示応答をする（ステップＳ７０６）。
最後に、操作器１４０の制御部１４２は、操作部１４１に監視カメラ３０−１の右旋回ボタン押下応答をする（ステップＳ７０７）。
【００１５】
しかしながら、上述した従来の監視システムにおいては、以下のような問題点が存在する。
（１）監視用端末にて操作器と同じ監視カメラの映像表示と動作制御ができるシステムと、操作器が操作する監視カメラの映像をデコーダ経由でモニタに表示するシステムが近くにある。そのようなシステムにおいて、デコーダより安く、高機能な監視用端末があるにもかかわらず、デコーダを使用することはコストパフォーマンスが低い。
（２）監視用端末と操作器が独立して動作しているため、操作器の操作に同期して監視カメラ映像を監視用端末の操作画面で確認したいユーザのニーズに答えることができなかった。
【００１６】
本発明は、このような状況に鑑みてなされたものであり、Ｗｅｂサーバがコマンド制御により操作器からボタン操作情報を取得して、当該ボタン操作情報を保持しておき、監視用端末が定期的にＷｅｂサーバから操作器のボタン操作情報を取得し、当該ボタン操作情報を基に操作画面の表示を変更することにより、操作器の操作に連動して監視カメラの映像を監視用端末に表示することができ、操作器の使い勝手の向上を図ることが可能な監視システムを提供することを目的とする。
【課題を解決するための手段】
【００１７】
上記課題を解決するために、本発明の監視システムは、所定の監視エリアを撮影し、撮影した監視映像を出力する監視カメラと、前記監視カメラから取得した監視映像を表示部に表示する監視用端末と、前記監視用端末からのコマンド情報を基に前記監視カメラの動作制御を行うＷｅｂサーバと、少なくとも前記監視用端末の表示または前記監視カメラの動作のどちらかを指示するための操作ボタンと前記操作ボタンの操作内容に応じたボタン操作情報を送出するボタン操作情報送出手段とを備えた操作器を有し、前記操作器のボタン操作情報送出手段は、ボタン操作情報を前記Ｗｅｂサーバへ送信し、前記Ｗｅｂサーバは、受信した前記ボタン操作情報を記憶し、前記監視用端末は、前記Ｗｅｂサーバが記憶したボタン操作情報を取得し、前記ボタン操作情報に基づいて前記監視カメラを制御することを特徴とする。
【００１８】
また、上記課題を解決するために、本発明の監視システムは、上記した監視システムにおいて、前記監視用端末は、前記Ｗｅｂサーバへボタン操作情報の取得要求を一定周期で送信し、前記Ｗｅｂサーバは、前記監視用端末から前記ボタン操作情報の取得要求を受信すると、記憶しているボタン操作情報を前記監視用端末へ送信する
ことを特徴とする。
【００１９】
また、上記課題を解決するために、本発明の監視システムは、上記した監視システムにおいて、前記Ｗｅｂサーバは、前記操作器からボタン操作情報を受信すると、ボタン操作情報を受信したという通知を前記監視用端末へ送信し、前記監視用端末は、前記通知を受信すると前記Ｗｅｂサーバへボタン操作情報の取得要求を送信することを特徴とする。
【発明の効果】
【００２０】
本発明によれば、Ｗｅｂサーバがコマンド制御により操作器からボタン操作情報を取得して、当該ボタン操作情報を保持しておき、監視用端末が定期的にＷｅｂサーバから操作器のボタン操作情報を取得し、当該ボタン操作情報を基に操作画面の表示を変更することにより、操作器の操作に連動して監視カメラの映像を監視用端末に表示することができ、操作器の使い勝手の向上を図ることができる。
【図面の簡単な説明】
【００２１】
【図１】本発明の一実施形態に係る操作器を有する監視システムの構成の一例を示すブロック図である。
【図２】監視用端末の操作画面の一例を示した図である。
【図３】本発明の一実施形態に係る監視システムにおいて、操作器のボタン操作で監視用端末の操作画面の映像表示を切り替える場合のシーケンス図である。
【図４】本発明の一実施形態に係る監視システムにおいて、Ｗｅｂサーバからのボタン操作情報を基に監視用端末で操作画面の映像表示を切り替える処理のフローチャートである。
【図５】従来の操作器を有する監視システムの構成の一例を示すブロック図である。
【図６】従来の監視システムにおいて、監視用端末で監視カメラの動作を制御する場合のシーケンス図である。
【図７】従来の監視システムにおいて、操作器の操作によりモニタに監視カメラ映像を表示する場合のシーケンス図である。
【図８】従来の監視システムにおいて、操作器の操作により監視カメラの動作を制御する場合のシーケンス図である。
【発明を実施するための形態】
【００２２】
以下、本発明の一実施形態に係る監視システムについて説明する。
本発明の一実施形態に係る監視システムは、Ｗｅｂサーバがコマンド制御により操作器からボタン操作情報を取得して、当該ボタン操作情報を保持しておき、監視用端末が定期的にＷｅｂサーバから操作器のボタン操作情報を取得し、当該ボタン操作情報を基に操作画面の表示を変更することにより、操作器の操作に連動して監視カメラの映像を監視用端末に表示することができ、操作器の使い勝手の向上を図ることができるものである。
【００２３】
［監視システムの構成］
本発明の一実施形態に係る監視システムの構成について、図１を参照して説明する。図１は、本発明の一実施形態に係る操作器を有する監視システムの構成の一例を示すブロック図である。
図１において、３０−１，３０−２，・・・，３０−ｎ（ｎは自然数）は監視エリア毎に配置された監視カメラ、１０はＷｅｂサーバ、２０は監視用端末、４０は操作器、５０はＬＡＮ（Local  Area  Network）等のネットワーク網であり、監視カメラ３０−１，３０−２，・・・，３０−ｎ、Ｗｅｂサーバ１０、監視用端末２０および操作器４０はネットワーク網５０を介して互いに接続されている。なお、監視カメラ３０−１，３０−２，・・・，３０−ｎを総称する場合、監視カメラ３０という。
【００２４】
監視カメラ３０は、パン、チルトおよびズーム機能を有し、Ｗｅｂサーバ１０の制御によって、監視視野範囲を切り替え可能である。また、監視カメラ３０は、例えば、取得した画像をＭＰＥＧ−２等の形式等で圧縮符号化し、ネットワーク網５０を介して送信するＷｅｂカメラである。また、監視カメラ３０は、例えば、取得した画像をＭＰＥＧ−２等の形式で圧縮符号化してネットワーク網５０を介して送信するＷｅｂエンコーダを備えている。
【００２５】
監視用端末２０は、コマンド送出手段２１ａと、ボタン操作情報取得手段２１ｂとを備えた制御部２１を有している。監視用端末２０は、制御部２１のコマンド送出手段２１ａでＷｅｂサーバ１０を経由して監視カメラ３０の動作制御を行ったり、監視カメラ３０から送信されたリアルタイムの映像を表示したりする。また、監視用端末２０は、制御部２１のボタン操作情報取得手段２１ｂでＷｅｂサーバ１０から操作器４０のボタン操作情報を取得して、当該ボタン操作情報を基に操作画面の表示を変更する。
監視用端末２０の操作画面は、Ｗｅｂサーバ１０からカメラ制御用ボタンアイコンやカメラ映像を表示する画面ファイルを読み込むことで表示される。なお、監視用端末２０の操作画面は、従来技術で説明した図２と同様であるため、説明は省略する。
【００２６】
操作器４０は、図１に示すように、監視用端末制御ボタン４１ａとカメラ制御ボタン４１ｂとを備えた操作部４１と、ボタン操作情報送出手段４２ａを備えた制御部４２とを有している。操作器４０は、操作者が監視用端末制御ボタン４１ａで監視用端末２０の操作画面に表示する監視カメラ３０の映像の指定や表示形態を指示したりする。また、操作器４０は、操作者が監視用端末制御ボタン４１ａで監視用端末２０の表示を１画面または４画面に切り替えたり、数秒間隔で監視カメラ映像を切り替えたりするボタンも備えている。また、操作器４０は、監視者がカメラ制御ボタン４１ｂで複数の監視カメラ３０を選択したり、監視カメラ３０の向きを変えたり、ワイパ制御やズーム制御をしたりする。
【００２７】
Ｗｅｂサーバ１０は、監視用端末２０または操作器４０から送信された制御用コマンドを処理するコマンド制御部１１と、操作器４０から送信されたボタン操作情報を記憶するためのボタン操作情報テーブル１２ａを備えた記憶部１２とを有している。
【００２８】
次に、本発明の一実施形態に係る監視システムにおいて、操作器４０のボタン操作で監視用端末２０の操作画面の映像表示を切り替える場合の流れについて、図３を参照して説明する。図３は、本発明の一実施形態に係る監視システムにおいて、操作器のボタン操作で監視用端末の操作画面の映像表示を切り替える場合のシーケンス図である。
【００２９】
操作器４０では、操作者が操作部４１の監視用端末制御ボタン４１ａを操作して、監視カメラ３０−１のボタンを押すと（ステップＳ１０１）、制御部４２がボタン操作情報送出手段４２ａにてＷｅｂサーバ１０のコマンド制御部１１に対して操作器４０のボタン操作情報を送信する（ステップＳ１０２）。
例えば、操作器４０のボタン操作情報としては、監視用端末制御ボタン４１ａでは、１画面，４画面ボタンのＯＮ／ＯＦＦ状態、監視カメラ３０−１，監視カメラ３０−２などのボタンＯＮ／ＯＦＦ状態、また、カメラ制御ボタン４１ｂでは、監視カメラ操作の上下左右のボタンＯＮ／ＯＦＦ状態、制御の速度として高速、中速、低速のボタンＯＮ／ＯＦＦ状態等がそれぞれある。
【００３０】
Ｗｅｂサーバ１０のコマンド制御部１１は、操作器４０から送信されたボタン操作情報を記憶部１２のボタン操作情報テーブル１２ａに書き込む（ステップＳ１０３）。
【００３１】
監視用端末２０は、Ｗｅｂサーバ１０に対して、操作器４０のボタン操作情報の取得要求を一定周期で行う（ステップＳ１０４）。
Ｗｅｂサーバ１０は、監視用端末２０からの要求に対して、ボタン操作情報テーブル１２ａから操作器４０のボタン操作情報を読み出して、監視用端末２０に送信する（ステップＳ１０５）。
監視用端末２０は、Ｗｅｂサーバ１０から取得した操作器４０のボタン操作情報に基づいて、監視カメラ３０−１に対して映像取得要求を行う（ステップＳ１０６）。
監視カメラ３０−１は、ステップＳ１０５の監視用端末２０からの要求に対して、監視用端末２０に映像を送信する（ステップＳ１０７）。
【００３２】
監視用端末２０は、監視カメラ３０−１から取得した監視カメラ３０−１の映像を操作画面５００のカメラ映像表示部５０３に表示する（ステップＳ１０８）。また、監視用端末２０は、Ｗｅｂサーバ１０から取得した操作器４０のボタン操作情報に基づいて、通常画面表示から全画面表示に表示形態を切り替える（ステップＳ１０９）。
なお、ステップＳ１０４において、監視用端末２０が、Ｗｅｂサーバ１０へボタン操作情報の取得を一定周期で要求しているが、Ｗｅｂサーバ１０がボタン操作情報を受信した際に、ボタン操作情報を受信したという通知を監視用端末２０へ送信し、通知を受けた監視用端末は、Ｗｅｂサーバ１０に対して、操作器４０のボタン操作情報の取得要求を行う構成にしてもよい。これにより、ボタン操作情報が監視用端末２０に届く時間が短縮され、操作遅延を少なくすることができる。
【００３３】
次に、本発明の一実施形態に係る監視システムにおいて、Ｗｅｂサーバ１０からのボタン操作情報を基に監視用端末２０で操作画面の映像表示を切り替える処理の一例について、図４を参照して説明する。図４は、本発明の一実施形態に係る監視システムにおいて、Ｗｅｂサーバからのボタン操作情報を基に監視用端末で操作画面の映像表示を切り替える処理のフローチャートである。
【００３４】
監視用端末２０は、図示していない記憶部から操作器４０のボタン操作情報を読み出す（ステップＳ２０１）。
監視用端末２０は、ボタン操作情報の中から、操作器４０の「１画面ボタン」または「４面ボタン」の状態を判定する（ステップＳ２０２）。
【００３５】
そして、ステップＳ２０２において、「１画面ボタン」押下の場合には、選択した監視カメラボタンが「監視カメラ３０−１ボタン」なのか、「監視カメラ３０−２ボタン」なのか、・・・、「監視カメラ３０−ｎボタン」または「自動ボタン」なのかを判断する（ステップＳ２０３）。
【００３６】
監視用端末２０は、「監視カメラ３０−１ボタン」押下の場合、カメラリスト５０２の中から「監視カメラ３０−１」を選択状態にして、指定した監視カメラ３０−１の映像を操作画面５００のカメラ映像表示部５０３に表示し（ステップＳ２０４）、更に、当該映像を全画面表示に切り替えて表示する（ステップＳ２１２）。
また、監視用端末２０は、「監視カメラ３０−２ボタン」押下の場合、カメラリスト５０２の中から「監視カメラ３０−２」を選択状態にして、指定した監視カメラ３０−２の映像を操作画面５００のカメラ映像表示部５０３に表示し（ステップＳ２０５）、更に、当該映像を全画面表示に切り替えて表示する（ステップＳ２１２）。
また、監視用端末２０は、「監視カメラ３０−ｎボタン」押下の場合、カメラリスト５０２の中から「監視カメラ３０−ｎ」を選択状態にして、指定した監視カメラ３０−ｎの映像を操作画面５００のカメラ映像表示部５０３に表示し（ステップＳ２０６）、更に、当該映像を全画面表示に切り替えて表示する（ステップＳ２１２）。
また、監視用端末２０は、「自動ボタン」押下の場合、カメラリスト５０２の１番目から順番に所定の間隔で選択状態にして、監視カメラ３０−１の映像から監視カメラ３０−ｎの映像を操作画面５００のカメラ映像表示部５０３に表示し（ステップＳ２０７）、更に、当該映像を順番に所定の間隔で全画面表示に切り替えて表示する（ステップＳ２１２）。
【００３７】
また、ステップＳ２０２において、「４画面ボタン」押下の場合には、選択したボタンが「４画面の上ボタン」なのか、「４画面の下ボタン」なのか、または「自動ボタン」なのかを判断する（ステップＳ２０８）。
【００３８】
監視用端末２０は、「４画面の上ボタン」押下の場合、４画面パターンのリストの１つ上を選択状態にして、指定した４画面パターンの映像を操作画面５００のカメラ映像表示部５０３に表示し（ステップＳ２０９）、更に、４画面パターンの映像を全画面表示に切り替えて表示する（ステップＳ２１２）。
また、監視用端末２０は、「４画面の下ボタン」押下の場合、４画面パターンのリストの１つ下を選択状態にして、指定した４画面パターンの映像を操作画面５００のカメラ映像表示部５０３に表示し（ステップＳ２１０）、更に、４画面パターンの映像を全画面表示に切り替えて表示する（ステップＳ２１２）
また、監視用端末２０は、「自動ボタン」押下の場合、４画面パターンのリストの１番目から順番に所定の間隔で選択状態にして、４画面パターンの映像を操作画面５００のカメラ映像表示部５０３に表示し（ステップＳ２１１）、更に、４画面パターンの映像を順番に所定の間隔で全画面表示に切り替えて表示する（ステップＳ２１２）。
上述したように、操作器４０のボタン操作情報を基に監視用端末２０の表示を連動させて表示することができる。
【００３９】
なお、操作器４０のボタン操作によって監視用端末２０の操作画面の表示を変えたくない場合には、監視用端末２０のＩＰアドレスやユーザＩＤのような識別情報を基にして、Ｗｅｂサーバ１０にて監視用端末２０毎にＷｅｂサーバ１０の保持する操作器４０のボタン操作情報を取得させるかどうかを設定できるようにしてもよい。
【００４０】
以上説明したように、本発明の一実施形態に係る監視システムによれば、Ｗｅｂサーバがコマンド制御により操作器からボタン操作情報を取得して、当該ボタン操作情報を保持しておき、監視用端末が定期的にＷｅｂサーバから操作器のボタン操作情報を取得し、当該ボタン操作情報を基に操作画面の表示を変更することにより、操作器の操作に連動して監視カメラの映像を監視用端末に表示することができ、操作器の使い勝手の向上を図ることができる。
【００４１】
なお、上記実施形態の構成及び動作は例であって、本発明の趣旨を逸脱しない範囲で適宜変更して実行することができることは言うまでもない。
【産業上の利用可能性】
【００４２】
本発明は、監視用端末とは別に、簡易的に監視カメラの動作制御やモニタに表示する映像の表示制御を行う操作器とを備える監視システムに適用することができる。
【符号の説明】
【００４３】
１０：Ｗｅｂサーバ、１１：コマンド制御部、１２：記憶部、１２ａ：ボタン操作情報テーブル、２０：監視用端末、２１：制御部、２１ａ：コマンド送出手段、２１ｂ：ボタン操作情報取得手段、３０，３０−１，３０−２，３０−ｎ：監視カメラ、４０：操作器、４１：操作部、４１ａ：監視用端末制御ボタン、４１ｂ：カメラ制御ボタン、４２：制御部、４２ａ：ボタン操作情報送出手段、５０：ネットワーク網、１１０：Ｗｅｂサーバ、１１１：コマンド制御部、１２０：監視用端末、１２１：制御部、１２１ａ：コマンド送出手段、１４０：操作器、１４１：操作部、１４１ａ：カメラ制御ボタン、１４２：制御部、１４２ａ：ボタン操作情報送出手段、１６０：モニタ、５００：操作画面、５０１：エリアリスト欄、５０２：カメラリスト欄、５０３：カメラ映像表示部、５０４：カメラ制御ボタン。
【図１】
2017183806.tif 000003
【図２】
2017183806.tif 000004
【図３】
2017183806.tif 000005
【図４】
2017183806.tif 000006
【図５】
2017183806.tif 000007
【図６】
2017183806.tif 000008
【図７】
2017183806.tif 000009
【図８】
2017183806.tif 000010